(57)【要約】  カード型機能媒体を挿入した状態でも外部に突出する部分がなく、小型かつ高いアンテナ性能を得られるようにする。  下部筐体１０の基板１１にカードスロット１２を備えると共に、カードスロット１２の開口部を閉塞可能なスロットカバー１３を備える。スロットカバー１３には、無給電素子１４が一体的に設けられている。無給電素子１４は、ＳＤＩＯカード１００を装着した際に、ＳＤＩＯカード１００のアンテナ素子１０２と略平行に近接するように配置され、ＳＤＩＯカード１００のＲＦ回路１０１の駆動周波数の略半波長の電気長を有し、アンテナ素子１０２と電磁結合して無給電素子として動作する構成となっている。
2009022387.tif 000002
【特許請求の範囲】
【請求項１】
通信機能を備えたカード型機能媒体を筐体内に装着可能なカードスロットと、
前記カードスロットの開口部を、前記カード型機能媒体の装着時及び非装着時に覆うスロットカバーと、
前記スロットカバーに一体的に設けられ、前記カード型機能媒体を前記カードスロットに装着した状態で、前記カード型機能媒体に設けられるアンテナ部と電磁結合し、前記アンテナ部の無給電素子として動作する導電部と、
を備える携帯無線機。
【請求項２】
請求項１に記載の携帯無線機であって、
前記導電部は、前記スロットカバーを閉じた際に、前記カードスロットの開口部長辺と略平行になる配置である携帯無線機。
【請求項３】
請求項１に記載の携帯無線機であって、
前記導電部は、その一部が当該携帯無線機のグランド部と電気的に接続されて接地される携帯無線機。
【請求項４】
請求項１に記載の携帯無線機であって、
前記導電部と当該携帯無線機のグランド部との間を接続する電気回路を備え、前記導電部の一部が前記電気回路を介して接地される携帯無線機。
【請求項５】
請求項４に記載の携帯無線機であって、
前記電気回路は、インダクタとキャパシタとを有するＬＣ回路により構成される携帯無線機。
【請求項６】
請求項４に記載の携帯無線機であって、
前記電気回路は、インダクタとキャパシタとスイッチング素子とを有し、前記スイッチング素子によりインダクタとキャパシタとを切り換えて接続可能なＬＣ切換回路により構成される携帯無線機。
【請求項７】
通信機能を備えたカード型機能媒体を筐体内に装着可能なカードスロットと、
前記カードスロットの開口部を、前記カード型機能媒体の装着時及び非装着時に覆うスロットカバーと、
前記スロットカバーに一体的に設けられ、前記カード型機能媒体を前記カードスロットに装着した状態で、前記カード型機能媒体と接続されて少なくとも一部が前記カード型機能媒体のアンテナ素子の一部または全部として動作する導電部と、
前記カード型機能媒体を前記カードスロットに装着した状態で前記導電部と前記カード型機能媒体とを電気的に接続する接続部と、
を備える携帯無線機。
【発明の詳細な説明】
【技術分野】
【０００１】
本発明は、ＳＤＩＯカード等のカード型機能媒体をカードスロットに挿入して利用可能な携帯無線機に関する。
【背景技術】
【０００２】
フラッシュメモリを搭載した各種のメモリカードが実用化され、様々な用途に使用されている。このようなメモリカードの一つとして、ＳＤ（Secure Digital）メモリカードが広く知られている。ＳＤメモリカードは、ＰＣカード等の他のメモリカードと比較して小型であるため、携帯電話やＰＤＡ等の携帯端末装置に使用する記録メディアとして普及している。【０００３】
図９は、ＳＤメモリカードを挿入するためのスロットを備えた従来の携帯無線機の例として、携帯電話を示した外観斜視図である。携帯電話５は、液晶表示部９１を備えた上部筐体９０と、無線回路を有する下部筐体８０とがヒンジ部９２によって折り畳み可能に構成されている。下部筐体８０の側部には、スロットカバー８３で閉塞可能なカードスロット８２を有し、カードスロット８２にＳＤメモリカード５００を挿入して着脱可能に取り付けることができる。【０００４】
近年、ＳＤメモリカードも多様化しており、Ｉ／Ｏ機能を備えたＳＤＩＯ（Secure Digital Input/Output）カードが注目されている。このＳＤＩＯカードは、ＳＤメモリカードにBluetooth（登録商標）、無線ＬＡＮ、ＧＰＳ等の無線通信機能を搭載し、複数の情報処理装置との間でデータの送受信が可能なカード型機能媒体である。ＳＤＩＯカードは、内部に無線通信を行うためのＲＦ回路やアンテナ素子を収納して構成され、ＳＤメモリカードと同様に、携帯無線機のカードスロットに装着されるようになっている。【０００５】
ＳＤＩＯカードは、通常、電波を送受信し易いようにアンテナ素子がカードスロット８２の入口側になるように配置されており、カードスロット８２に装着した際に、アンテナ素子の部分が携帯電話５の下部筐体８０から突出した状態に保持される（例えば、特許文献１参照）。【０００６】
また、ＳＤＩＯカードのアンテナ素子がある部分が下部筐体８０から突出することを回避するために、ＳＤＩＯカードを取り出すために操作するイジェクトレバーにアンテナを内蔵した例が提案されている（例えば、特許文献２参照）。
【特許文献１】特開２００３−６６０３号公報
【特許文献２】特開２００１−１９５５５３号公報
【発明の開示】
【発明が解決しようとする課題】
【０００７】
しかしながら、上記した特許文献１の例では、携帯無線機から突出しているＳＤＩＯカードのアンテナ素子の部分が使用時に外力を受け易く、破損してしまうおそれがある。また、ＳＤＩＯカードのアンテナ部分が携帯電話から突出することによって、例えば、図９に示すようにスロットカバー８３が開いたままとなり、カードスロット８２に挿入した際のＳＤＩＯカードを保護することができない。また、携帯無線機を操作する時や持ち歩く際に、ＳＤＩＯカードの突出部分や開いたスロットカバーが邪魔になり、携帯性を損ねるという課題も有している。【０００８】
また、アンテナ部分を突出しないようにＳＤＩＯカードにアンテナ素子を内蔵すると、著しくアンテナ性能が劣化するため、カードに搭載された無線通信機能を十分に果たせないという課題が生じる。【０００９】
さらに、特許文献２に記載された例では、携帯無線機にＳＤＩＯカードを取り出すためのイジェクトレバーを設ける必要があるので、携帯無線機の構成が複雑になるとともに、小型化の妨げとなる。【００１０】
本発明は、上記事情に鑑みてなされたもので、カード型機能媒体を挿入した状態でも外部に突出する部分がなく、小型を図りつつ高いアンテナ性能を得ることが可能な携帯無線機を提供することを目的とする。
【課題を解決するための手段】
【００１１】
本発明の携帯無線機は、通信機能を備えたカード型機能媒体を筐体内に装着可能なカードスロットと、前記カードスロットの開口部を、前記カード型機能媒体の装着時及び非装着時に覆うスロットカバーと、前記スロットカバーに一体的に設けられ、前記カード型機能媒体を前記カードスロットに装着した状態で、前記カード型機能媒体に設けられるアンテナ部と電磁結合し、前記アンテナ部の無給電素子として動作する導電部と、を備えるものである。
これにより、カード型機能媒体を用いて無線通信を行うに際し、スロットカバーに設けられた導電部がカード型機能媒体のアンテナ部と電磁結合して無給電素子として動作するため、カード型機能媒体を挿入した状態でも外部に突出する部分がなく、携帯性を損なわずに小型を図りつつ高いアンテナ性能を得ることが可能となる。【００１２】
また、本発明は、上記の携帯無線機であって、前記導電部は、前記スロットカバーを閉じた際に、前記カードスロットの開口部長辺と略平行になる配置であるものを含む。
これにより、カード型機能媒体に設けられるアンテナ部と導電部の電磁結合が容易、かつ確実となり、高いアンテナ性能を得ることが可能となる。【００１３】
また、本発明は、上記の携帯無線機であって、前記導電部は、その一部が当該携帯無線機のグランド部と電気的に接続されて接地されるものを含む。
これにより、無給電素子となる導電部が地線動作をし、送受信する際の電波による電流が導電部を介してグランド部に流れるので、高いアンテナ性能を得ることが可能となる。【００１４】
また、本発明は、上記の携帯無線機であって、前記導電部と当該携帯無線機のグランド部との間を接続する電気回路を備え、前記導電部の一部が前記電気回路を介して接地されるものを含む。
これにより、電気回路を調整することで、無給電素子となる導電部の素子長を使用する電波の略半波長など、使用周波数帯域に応じて設計することが容易となり、高いアンテナ性能を得ることが可能となる。【００１５】
また、本発明は、上記の携帯無線機であって、前記電気回路は、インダクタとキャパシタとを有するＬＣ回路により構成されるものを含む。
これにより、インダクタ、キャパシタの値を調整することで、無給電素子となる導電部の素子長を使用する電波の略半波長など、使用周波数帯域に応じて設計することが容易となり、高いアンテナ性能を得ることが可能となる。【００１６】
また、本発明は、上記の携帯無線機であって、前記電気回路は、インダクタとキャパシタとスイッチング素子とを有し、前記スイッチング素子によりインダクタとキャパシタとを切り換えて接続可能なＬＣ切換回路により構成されるものを含む。
これにより、インダクタ、キャパシタの値を調整することで、無給電素子となる導電部の素子長を使用する電波の略半波長など、使用周波数帯域に応じて設計することが容易となり、また、スイッチング素子を切り換えることで使用周波数が変化した場合に、導電部の素子長を切り換えることが可能となる。【００１７】
本発明の携帯無線機は、通信機能を備えたカード型機能媒体を筐体内に装着可能なカードスロットと、前記カードスロットの開口部を、前記カード型機能媒体の装着時及び非装着時に覆うスロットカバーと、前記スロットカバーに一体的に設けられ、前記カード型機能媒体を前記カードスロットに装着した状態で、前記カード型機能媒体と接続されて少なくとも一部が前記カード型機能媒体のアンテナ素子の一部または全部として動作する導電部と、前記カード型機能媒体を前記カードスロットに装着した状態で前記導電部と前記カード型機能媒体とを電気的に接続する接続部と、を備えるものである。
これにより、カード型機能媒体を用いて無線通信を行うに際し、スロットカバーに設けられた導電部がアンテナ素子として動作するため、カード型機能媒体を挿入した状態でも外部に突出する部分がなく、携帯性を損なわずに小型を図りつつ高いアンテナ性能を得ることが可能となる。
【発明の効果】
【００１８】
本発明によれば、カード型機能媒体を挿入した状態でも外部に突出する部分がなく、小型を図りつつ高いアンテナ性能を得ることが可能な携帯無線機を提供できる。
【図面の簡単な説明】
【００１９】
【図１】本発明の第１の実施形態に係る携帯無線機の概略構成を示す外観斜視図
【図２】第１の実施形態における下部筐体内部の概略構成を示す平面図
【図３】本実施形態の第１変形例を示す下部筐体内部の概略構成を示す平面図
【図４】本実施形態の第２変形例を示す下部筐体内部の概略構成を示す平面図
【図５】本実施形態の第３変形例を示す下部筐体内部の概略構成を示す平面図
【図６】本実施形態の第４変形例を示す下部筐体内部の概略構成を示す平面図
【図７】本発明の第２の実施形態に係る携帯無線機の概略構成を示す外観斜視図
【図８】第２の実施形態における下部筐体内部の概略構成を示す平面図
【図９】従来の携帯無線機の構成例を示す外観斜視図
【符号の説明】
【００２０】
１、２  携帯電話機
１０、３０、４０、５０、６０、７０  下部筐体
１１、３１、４１、５１、６１、７１  基板
１２、７２  カードスロット
１３、３３、７３  スロットカバー
１４、３４  無給電素子
２０  上部筐体
４２  電気回路
５２  ＬＣ回路
６２  ＬＣ切換回路
７５、１０２  アンテナ素子
１００、２００  ＳＤＩＯカード
１０１、２０１  ＲＦ回路
１０３、２０３  接続端子
【発明を実施するための最良の形態】
【００２１】
（第１の実施形態）
図１は、本発明の第１の実施形態に係る携帯無線機の概略構成を示す外観斜視図である。第１の実施形態の携帯無線機１は、無線回路を有する下部筐体１０、液晶表示部２１を備えた上部筐体２０、これらの下部筐体１０及び上部筐体２０をそれぞれの一方の端部で折り畳み可能に結合するヒンジ部２２を有する構成である。【００２２】
下部筐体１０の側面には、後述するＳＤＩＯカード１００を挿入して筐体内に装着可能なカードスロットと、その開口部を閉塞すべく、不図示の回動部を介して取り付けられたスロットカバー１３とが設けられている。【００２３】
図２は、第１の実施形態における下部筐体１０内部の概略構成を示す平面図である。図２では、下部筐体１０の内部を透過して見た状態を示している。下部筐体１０は、基板１１と、基板１１に実装されＳＤＩＯカード１００を挿入するためのカードスロット１２と、カードスロット１２の開口部を閉塞してゴミ等異物の侵入を防止するためのスロットカバー１３とを備えている。【００２４】
ＳＤＩＯカード１００は、無線通信機能が搭載されたカード型機能媒体であり、無線通信を行うための高周波回路であるＲＦ回路１０１と、ＲＦ回路１０１と配線パターンによって接続され、カードスロット１２の開口部側の端部に配置されたアンテナ部であるアンテナ素子１０２と、アンテナ素子１０２とは反対側の端部に設けられ、基板１１との間で電源及び信号の入出力を行うインタフェース部である接続端子１０３とを備えて構成されている。【００２５】
スロットカバー１３には、ＳＤＩＯカード１００に搭載されるアンテナ部（アンテナ素子１０２）の導波器として作用する無給電素子１４が一体的に設けられている。無給電素子１４は、スロットカバー１３の内部または内側表面等に、一体成形等によって配設される。【００２６】
無給電素子１４は、導電部として機能するように導電性の薄膜や線材などの導電性部材から構成され、カードスロット１２の開口部の長辺と略平行に配置されており、ＳＤＩＯカード１００がカードスロット１２に挿入された際のアンテナ素子１０２と略平行に近接して位置し、アンテナ素子１０２と電磁結合が可能な構成となっている。この無給電素子１４は、アンテナ素子１０２と電磁結合することによって無給電素子として動作する。無給電素子１４の電気長は、ＳＤＩＯカード１００に搭載されたＲＦ回路１０１の駆動周波数の略半波長とすることが望ましい。【００２７】
ＳＤＩＯカード１００における無線通信方式としては、例えばBluetooth（登録商標）が用いられる。このBluetoothは、２．４ＧＨｚ帯域を利用して１０ｍ以内の短距離無線通信を行うもので、低消費電力化及び小型化を必要とする携帯無線機等に最適な通信方式である。あるいは、無線通信方式としてIEEE 801.11a/b/g等の無線ＬＡＮなどを適用しても良い。【００２８】
次に、以上のように構成された本実施形態に係る携帯無線機１において、ＳＤＩＯカード１００を用いて無線通信を行う場合の動作について説明する。【００２９】
ＳＤＩＯカード１００を、図２に示すように、接続端子１０３を有する一端を先頭にした姿勢でカードスロット１２に挿入して装着し、スロットカバー１３でカードスロット１２の開口部を閉じる。これによって、ＳＤＩＯカード１００の接続端子１０３は、下部筐体１０の基板１１と電気的に接続され、電源の入力及び信号の入出力を行える状態になる。また、このときアンテナ素子１０２とスロットカバー１３に一体化された無給電素子１４とが近接して電磁結合した状態となる。【００３０】
そして、ＳＤＩＯカード１００に搭載された不図示のコントローラによって制御されるＲＦ回路１０１により、アンテナ素子１０２が無給電素子１４との電磁的な相互作用で励振され、電波の送信を行う。また、無給電素子１４との電磁的な相互作用によってアンテナ素子１０２で効果的に受信された電波がＲＦ回路１０１において電気信号に変換され、接続端子１０３を介して基板１１へ伝送される。【００３１】
本実施形態では、アンテナ素子１０２とスロットカバー１３に一体化された無給電素子１４とが近接して電磁結合するので、送受信の際に無給電素子１４に電流が集中する。このため、アンテナ素子１０２と基板１１との電磁結合が抑制され、アンテナ素子１０２から送信するときの送信電力、あるいは、アンテナ素子１０２で受信するときの受信感度が無給電素子１４を有しない場合よりも向上する。したがって、スロットカバー１３に無給電素子１４を設けることによって、無線通信を行っている状態で高いアンテナ性能を得ることができる。【００３２】
またこのとき、スロットカバー１３に設けた無給電素子１４とカードスロット１２の開口部の長辺とを略平行に配置することにより、アンテナ素子１０２と無給電素子１４との電磁結合が容易になり、高いアンテナ性能を発揮することが可能となる。【００３３】
図３は、本実施形態の第１変形例を示す下部筐体内部の概略構成を示す平面図である。第１変形例の下部筐体３０は、逆Ｌ字状に形成された無給電素子３４がスロットカバー３３と一体化され、その一端が基板３１のグランド部に電気的に接続されて接地されている。これにより、無給電素子３４が地線動作をし、送受信する際の電波による電流が無給電素子３４を介してグランド部に流れるので、アンテナ素子１０２の特性が向上する。【００３４】
また、図４は、本実施形態の第２変形例を示す下部筐体内部の概略構成を示す平面図である。第２変形例の下部筐体４０は、逆Ｌ字状に形成された無給電素子３４がスロットカバー３３と一体化され、その一端が電気回路４２を介して基板４１のグランド部に電気的に接続されて接地されている。この構成により、電気回路４２を調整することで無給電素子３４の素子長をＲＦ回路１０１の駆動周波数の略半波長など、使用周波数帯域に応じて設計することが容易となり、電波の送受信特性が向上する。【００３５】
更に、図５は、本実施形態の第３変形例を示す下部筐体内部の概略構成を示す平面図である。第３変形例の下部筐体５０は、スロットカバー３３と一体化された逆Ｌ字状の無給電素子３４の一端が、インダクタとキャパシタが並列に接続されたＬＣ回路５２を介して基板５１のグランド部に電気的に接続されている。この構成により、ＬＣ回路５２におけるインダクタ又はキャパシタの値を調整することで、無給電素子３４の素子長をＲＦ回路１０１の駆動周波数の略半波長など、使用周波数帯域に応じて設計することが容易となり、電波の放射効率を向上させることができる。【００３６】
また、図６は、本実施形態の第４変形例を示す下部筐体内部の概略構成を示す平面図である。第４変形例の下部筐体６０は、スロットカバー３３と一体化された逆Ｌ字状の無給電素子３４の一端が、ＬＣ切換回路６２を介して、基板６１のグランド部に電気的に接続されている。ＬＣ切換回路６２は、並列に接続されたインダクタとキャパシタをスイッチング素子によって切り換えられるようにした構造となっている。この構成により、インダクタ又はキャパシタの値を調整することで、無給電素子３４の素子長をＲＦ回路１０１の駆動周波数の略半波長など、使用周波数帯域に応じて設計することが容易になり、また、ＬＣ切換回路６２のスイッチング素子を切り換えることでＲＦ回路１０１の駆動周波数が変化した場合に、無給電素子３４の素子長を切り換えることが可能となる。【００３７】
以上説明したように、第１の実施形態に係る携帯無線機は、下部筐体１０にＳＤＩＯカード１００を挿入するためのカードスロット１２が設けられ、このカードスロット１２の開口部を閉塞するためのスロットカバー１３に、カードスロット１２の開口部長辺と略平行に無給電素子１４を一体化して設けた構成を有する。【００３８】
これにより、カードスロット１２にＳＤＩＯカード１００を挿入した際にＳＤＩＯカード１００が突出せずにスロットカバー１３を閉じることができ、この状態でＳＤＩＯカード１００のアンテナ素子１０２と無給電素子１４とが略平行の状態で近接して電磁結合し、無線通信を行う際に高いアンテナ性能を得ることができる。また、無給電素子１４をスロットカバー１３に一体化して設けたことによって、ＳＤＩＯカード１００のアンテナ部分が筐体から突出することがないので、操作性及び携帯性を向上でき、小型化を図りつつ所定のアンテナ性能を得ることが可能である。よって、小型化及び携帯性を損うことなく、高いアンテナ性能を発揮する無線通信機能を有したカード機能媒体を搭載することが可能である。【００３９】
また、無給電素子の一端を基板のグランドに接続して地線とすることにより、アンテナ特性を向上させることができる。更に、無給電素子の一端と基板のグランド間に、ＬＣ回路、あるいはスイッチにより素子を切り換えて接続できるＬＣ切換回路等の電気回路を設けることにより、無給電素子の電気長をＲＦ回路１０１の駆動周波数の略半波長に容易に設定することが可能となり、電波の放射効率を向上させることができる。【００４０】
（第２の実施形態）
図７は、本発明の第２の実施形態に係る携帯無線機の概略構成を示す外観斜視図である。図１に示した第１の実施形態と共通する構成要素については、同一符号を付してある。【００４１】
第２の実施形態の携帯無線機２は、無線回路を有する下部筐体７０、液晶表示部２１を備えた上部筐体２０、両筐体７０、２０をそれぞれの一方の端部で折り畳み可能に結合するヒンジ部２２を有する構成である。【００４２】
下部筐体７０の側面には、後述するＳＤＩＯカード２００を挿入して筐体内に装着可能なカードスロットと、その開口部を閉塞すべく、不図示の回動部を介して取り付けられたスロットカバー７３とが設けられている。【００４３】
図８は、第２の実施形態における下部筐体７０内部の概略構成を示す平面図である。図８では、下部筐体７０の内部を透過して見た状態を示している。下部筐体７０は、基板７１と、基板７１に実装されＳＤＩＯカード２００を挿入するためのカードスロット７２と、カードスロット７２の開口部を閉塞してゴミ等異物の侵入を防止するためのスロットカバー７３とを備えている。【００４４】
ＳＤＩＯカード２００は、無線通信機能が搭載されたカード型機能媒体であり、無線通信を行うための高周波回路であるＲＦ回路２０１と、ＲＦ回路２０１と配線パターンによって接続され、カードスロット７２の開口部側とは反対側の端部に設けられたインタフェース部である接続端子２０３とを備えて構成されている。【００４５】
ＳＤＩＯカード２００における無線通信方式としては、例えば第１の実施形態と同様、Bluetooth（登録商標）、IEEE 801.11a/b/g等の無線ＬＡＮなどが用いられる。【００４６】
スロットカバー７３には、ＳＤＩＯカード２００の接続端子２０３と電気的に接続されるアンテナ素子７５が一体的に設けられている。接続端子２０３は、基板７１との間で電源及び信号の入出力を行うとともに、スロットカバー７３と一体化して設けられるアンテナ素子７５を電気的に接続するための接続部として設けられる。アンテナ素子７５は、スロットカバー７３の内部または内側表面等に、一体成形等によって配設される。アンテナ素子７５は、導電部として機能するように導電性の薄膜や線材などから構成され、その電気長は、ＳＤＩＯカード２００に搭載されたＲＦ回路２０１の駆動周波数の略半波長または略１／４波長とすることが望ましい。このアンテナ素子７５は、ＳＤＩＯカード２００がカードスロット７２に挿入された際にＳＤＩＯカード２００の接続端子２０３を介してＲＦ回路２０１と接続され、少なくとも一部がＳＤＩＯカード２００のアンテナ素子の一部または全部として動作する。【００４７】
次に、以上のように構成された本実施形態に係る携帯無線機２において、ＳＤＩＯカード２００を用いて無線通信を行う場合の動作について説明する。【００４８】
ＳＤＩＯカード２００を、図８に示すように、接続端子２０３を有する一端を先頭にした姿勢でカードスロット７２に挿入して装着し、スロットカバー７３でカードスロット７２の開口部を閉じる。これによって、ＳＤＩＯカード２００の接続端子２０３は、下部筐体７０の基板７１、及びスロットカバー７３に設けられたアンテナ素子７５と電気的に接続され、電源の入力及び信号の入出力を行える状態になる。【００４９】
そして、ＳＤＩＯカード２００に搭載された不図示のコントローラによって制御されるＲＦ回路２０１により、アンテナ素子７５が励振され、電波の送信を行う。また、アンテナ素子７５によって電波が効果的に受信されてＲＦ回路２０１において電気信号に変換され、接続端子２０３を介して基板７１へ伝送される。【００５０】
本実施形態では、アンテナ素子７５はスロットカバー７３に一体化されて設けられるので、下部筐体７０から突出することがなく、小型化及び携帯性を損なわずに無線通信を行っている状態で高いアンテナ性能を得ることができる。【００５１】
以上説明したように、第２の実施形態に係る携帯無線機は、下部筐体７０にＳＤＩＯカード２００を挿入するためのカードスロット７２が設けられ、このカードスロット７２の開口部を閉塞するためのスロットカバー７３に、アンテナ素子７５を一体化して設けた構成を有する。【００５２】
これにより、カードスロット７２にＳＤＩＯカード２００を挿入した際にＳＤＩＯカード２００が突出せずにスロットカバー７３を閉じることができ、この状態でＳＤＩＯカード２００とアンテナ素子７５とが接続されるため、無線通信を行う際に操作性及び携帯性に優れ、小型化を図りつつ高いアンテナ性能を得ることができる。よって、小型化及び携帯性を損うことなく、高いアンテナ性能を発揮する無線通信機能を有したカード機能媒体を搭載することが可能である。【００５３】
なお、本発明は上記の実施形態において示されたものに限定されるものではなく、明細書の記載、並びに周知の技術に基づいて、当業者が変更、応用することも本発明の予定するところであり、保護を求める範囲に含まれる。
【産業上の利用可能性】
【００５４】
本発明は、カード型機能媒体を挿入した状態でも外部に突出する部分がなく、小型を図りつつ高いアンテナ性能を得ることが可能となる効果を有し、ＳＤＩＯカード等のカード型機能媒体をカードスロットに挿入して利用可能な携帯電話や携帯情報端末（ＰＤＡ）等の携帯無線機等として有用である。
【図１】
2009022387.tif 000003
【図２】
2009022387.tif 000004
【図３】
2009022387.tif 000005
【図４】
2009022387.tif 000006
【図５】
2009022387.tif 000007
【図６】
2009022387.tif 000008
【図７】
2009022387.tif 000009
【図８】
2009022387.tif 000010
【図９】
2009022387.tif 000011
【手続補正書】
【提出日】平成21年12月28日(2009.12.28)
【手続補正１】
【補正対象書類名】明細書
【補正対象項目名】全文
【補正方法】変更
【補正の内容】
【発明の詳細な説明】
【技術分野】
【０００１】
本発明は、ＳＤＩＯカード等のカード型機能媒体をカードスロットに挿入して利用可能な携帯無線機に関する。
【背景技術】
【０００２】
フラッシュメモリを搭載した各種のメモリカードが実用化され、様々な用途に使用されている。このようなメモリカードの一つとして、ＳＤ（Secure Digital）メモリカードが広く知られている。ＳＤメモリカードは、ＰＣカード等の他のメモリカードと比較して小型であるため、携帯電話やＰＤＡ等の携帯端末装置に使用する記録メディアとして普及している。
【０００３】
図９は、ＳＤメモリカードを挿入するためのスロットを備えた従来の携帯無線機の例として、携帯電話を示した外観斜視図である。携帯電話５は、液晶表示部９１を備えた上部筐体９０と、無線回路を有する下部筐体８０とがヒンジ部９２によって折り畳み可能に構成されている。下部筐体８０の側部には、スロットカバー８３で閉塞可能なカードスロット８２を有し、カードスロット８２にＳＤメモリカード５００を挿入して着脱可能に取り付けることができる。
【０００４】
近年、ＳＤメモリカードも多様化しており、Ｉ／Ｏ機能を備えたＳＤＩＯ（Secure Digital Input/Output）カードが注目されている。このＳＤＩＯカードは、ＳＤメモリカードにBluetooth（登録商標）、無線ＬＡＮ、ＧＰＳ等の無線通信機能を搭載し、複数の情報処理装置との間でデータの送受信が可能なカード型機能媒体である。ＳＤＩＯカードは、内部に無線通信を行うためのＲＦ回路やアンテナ素子を収納して構成され、ＳＤメモリカードと同様に、携帯無線機のカードスロットに装着されるようになっている。
【０００５】
ＳＤＩＯカードは、通常、電波を送受信し易いようにアンテナ素子がカードスロット８２の入口側になるように配置されており、カードスロット８２に装着した際に、アンテナ素子の部分が携帯電話５の下部筐体８０から突出した状態に保持される（例えば、特許文献１参照）。
【０００６】
また、ＳＤＩＯカードのアンテナ素子がある部分が下部筐体８０から突出することを回避するために、ＳＤＩＯカードを取り出すために操作するイジェクトレバーにアンテナを内蔵した例が提案されている（例えば、特許文献２参照）。
【先行技術文献】
【特許文献】
【０００７】
【特許文献１】特開２００３−６６０３号公報
【特許文献２】特開２００１−１９５５５３号公報
【発明の概要】
【発明が解決しようとする課題】
【０００８】
しかしながら、上記した特許文献１の例では、携帯無線機から突出しているＳＤＩＯカードのアンテナ素子の部分が使用時に外力を受け易く、破損してしまうおそれがある。また、ＳＤＩＯカードのアンテナ部分が携帯電話から突出することによって、例えば、図９に示すようにスロットカバー８３が開いたままとなり、カードスロット８２に挿入した際のＳＤＩＯカードを保護することができない。また、携帯無線機を操作する時や持ち歩く際に、ＳＤＩＯカードの突出部分や開いたスロットカバーが邪魔になり、携帯性を損ねるという課題も有している。
【０００９】
また、アンテナ部分を突出しないようにＳＤＩＯカードにアンテナ素子を内蔵すると、著しくアンテナ性能が劣化するため、カードに搭載された無線通信機能を十分に果たせないという課題が生じる。
【００１０】
さらに、特許文献２に記載された例では、携帯無線機にＳＤＩＯカードを取り出すためのイジェクトレバーを設ける必要があるので、携帯無線機の構成が複雑になるとともに、小型化の妨げとなる。
【００１１】
本発明は、上記事情に鑑みてなされたもので、カード型機能媒体を挿入した状態でも外部に突出する部分がなく、小型を図りつつ高いアンテナ性能を得ることが可能な携帯無線機を提供することを目的とする。
【課題を解決するための手段】
【００１２】
本発明の携帯無線機は、通信機能を備えたカード型機能媒体を筐体内に装着可能なカードスロットと、前記カードスロットの開口部を、前記カード型機能媒体の装着時及び非装着時に覆うスロットカバーと、前記スロットカバーに一体的に設けられ、前記カード型機能媒体を前記カードスロットに装着した状態で、前記カード型機能媒体に設けられるアンテナ部と電磁結合し、前記アンテナ部の無給電素子として動作する導電部と、を備えるものである。
これにより、カード型機能媒体を用いて無線通信を行うに際し、スロットカバーに設けられた導電部がカード型機能媒体のアンテナ部と電磁結合して無給電素子として動作するため、カード型機能媒体を挿入した状態でも外部に突出する部分がなく、携帯性を損なわずに小型を図りつつ高いアンテナ性能を得ることが可能となる。
【００１３】
また、本発明は、上記の携帯無線機であって、前記導電部は、前記スロットカバーを閉じた際に、前記カードスロットの開口部長辺と略平行になる配置であるものを含む。
これにより、カード型機能媒体に設けられるアンテナ部と導電部の電磁結合が容易、かつ確実となり、高いアンテナ性能を得ることが可能となる。
【００１４】
また、本発明は、上記の携帯無線機であって、前記導電部は、その一部が当該携帯無線機のグランド部と電気的に接続されて接地されるものを含む。
これにより、無給電素子となる導電部が地線動作をし、送受信する際の電波による電流が導電部を介してグランド部に流れるので、高いアンテナ性能を得ることが可能となる。
【００１５】
また、本発明は、上記の携帯無線機であって、前記導電部と当該携帯無線機のグランド部との間を接続する電気回路を備え、前記導電部の一部が前記電気回路を介して接地されるものを含む。
これにより、電気回路を調整することで、無給電素子となる導電部の素子長を使用する電波の略半波長など、使用周波数帯域に応じて設計することが容易となり、高いアンテナ性能を得ることが可能となる。
【００１６】
また、本発明は、上記の携帯無線機であって、前記電気回路は、インダクタとキャパシタとを有するＬＣ回路により構成されるものを含む。
これにより、インダクタ、キャパシタの値を調整することで、無給電素子となる導電部の素子長を使用する電波の略半波長など、使用周波数帯域に応じて設計することが容易となり、高いアンテナ性能を得ることが可能となる。
【００１７】
また、本発明は、上記の携帯無線機であって、前記電気回路は、インダクタとキャパシタとスイッチング素子とを有し、前記スイッチング素子によりインダクタとキャパシタとを切り換えて接続可能なＬＣ切換回路により構成されるものを含む。
これにより、インダクタ、キャパシタの値を調整することで、無給電素子となる導電部の素子長を使用する電波の略半波長など、使用周波数帯域に応じて設計することが容易となり、また、スイッチング素子を切り換えることで使用周波数が変化した場合に、導電部の素子長を切り換えることが可能となる。
【００１８】
本発明の携帯無線機は、通信機能を備えたカード型機能媒体を筐体内に装着可能なカードスロットと、前記カードスロットの開口部を、前記カード型機能媒体の装着時及び非装着時に覆うスロットカバーと、前記スロットカバーに一体的に設けられ、前記カード型機能媒体を前記カードスロットに装着した状態で、前記カード型機能媒体と接続されて少なくとも一部が前記カード型機能媒体のアンテナ素子の一部または全部として動作する導電部と、前記カード型機能媒体を前記カードスロットに装着した状態で前記導電部と前記カード型機能媒体とを電気的に接続する接続部と、を備えるものである。
これにより、カード型機能媒体を用いて無線通信を行うに際し、スロットカバーに設けられた導電部がアンテナ素子として動作するため、カード型機能媒体を挿入した状態でも外部に突出する部分がなく、携帯性を損なわずに小型を図りつつ高いアンテナ性能を得ることが可能となる。
【発明の効果】
【００１９】
本発明によれば、カード型機能媒体を挿入した状態でも外部に突出する部分がなく、小型を図りつつ高いアンテナ性能を得ることが可能な携帯無線機を提供できる。
【図面の簡単な説明】
【００２０】
【図１】本発明の第１の実施形態に係る携帯無線機の概略構成を示す外観斜視図
【図２】第１の実施形態における下部筐体内部の概略構成を示す平面図
【図３】本実施形態の第１変形例を示す下部筐体内部の概略構成を示す平面図
【図４】本実施形態の第２変形例を示す下部筐体内部の概略構成を示す平面図
【図５】本実施形態の第３変形例を示す下部筐体内部の概略構成を示す平面図
【図６】本実施形態の第４変形例を示す下部筐体内部の概略構成を示す平面図
【図７】本発明の第２の実施形態に係る携帯無線機の概略構成を示す外観斜視図
【図８】第２の実施形態における下部筐体内部の概略構成を示す平面図
【図９】従来の携帯無線機の構成例を示す外観斜視図
【発明を実施するための形態】
【００２１】
（第１の実施形態）
図１は、本発明の第１の実施形態に係る携帯無線機の概略構成を示す外観斜視図である。第１の実施形態の携帯無線機１は、無線回路を有する下部筐体１０、液晶表示部２１を備えた上部筐体２０、これらの下部筐体１０及び上部筐体２０をそれぞれの一方の端部で折り畳み可能に結合するヒンジ部２２を有する構成である。
【００２２】
下部筐体１０の側面には、後述するＳＤＩＯカード１００を挿入して筐体内に装着可能なカードスロットと、その開口部を閉塞すべく、不図示の回動部を介して取り付けられたスロットカバー１３とが設けられている。
【００２３】
図２は、第１の実施形態における下部筐体１０内部の概略構成を示す平面図である。図２では、下部筐体１０の内部を透過して見た状態を示している。下部筐体１０は、基板１１と、基板１１に実装されＳＤＩＯカード１００を挿入するためのカードスロット１２と、カードスロット１２の開口部を閉塞してゴミ等異物の侵入を防止するためのスロットカバー１３とを備えている。
【００２４】
ＳＤＩＯカード１００は、無線通信機能が搭載されたカード型機能媒体であり、無線通信を行うための高周波回路であるＲＦ回路１０１と、ＲＦ回路１０１と配線パターンによって接続され、カードスロット１２の開口部側の端部に配置されたアンテナ部であるアンテナ素子１０２と、アンテナ素子１０２とは反対側の端部に設けられ、基板１１との間で電源及び信号の入出力を行うインタフェース部である接続端子１０３とを備えて構成されている。
【００２５】
スロットカバー１３には、ＳＤＩＯカード１００に搭載されるアンテナ部（アンテナ素子１０２）の導波器として作用する無給電素子１４が一体的に設けられている。無給電素子１４は、スロットカバー１３の内部または内側表面等に、一体成形等によって配設される。
【００２６】
無給電素子１４は、導電部として機能するように導電性の薄膜や線材などの導電性部材から構成され、カードスロット１２の開口部の長辺と略平行に配置されており、ＳＤＩＯカード１００がカードスロット１２に挿入された際のアンテナ素子１０２と略平行に近接して位置し、アンテナ素子１０２と電磁結合が可能な構成となっている。この無給電素子１４は、アンテナ素子１０２と電磁結合することによって無給電素子として動作する。無給電素子１４の電気長は、ＳＤＩＯカード１００に搭載されたＲＦ回路１０１の駆動周波数の略半波長とすることが望ましい。
【００２７】
ＳＤＩＯカード１００における無線通信方式としては、例えばBluetooth（登録商標）が用いられる。このBluetoothは、２．４ＧＨｚ帯域を利用して１０ｍ以内の短距離無線通信を行うもので、低消費電力化及び小型化を必要とする携帯無線機等に最適な通信方式である。あるいは、無線通信方式としてIEEE 801.11a/b/g等の無線ＬＡＮなどを適用しても良い。
【００２８】
次に、以上のように構成された本実施形態に係る携帯無線機１において、ＳＤＩＯカード１００を用いて無線通信を行う場合の動作について説明する。
【００２９】
ＳＤＩＯカード１００を、図２に示すように、接続端子１０３を有する一端を先頭にした姿勢でカードスロット１２に挿入して装着し、スロットカバー１３でカードスロット１２の開口部を閉じる。これによって、ＳＤＩＯカード１００の接続端子１０３は、下部筐体１０の基板１１と電気的に接続され、電源の入力及び信号の入出力を行える状態になる。また、このときアンテナ素子１０２とスロットカバー１３に一体化された無給電素子１４とが近接して電磁結合した状態となる。
【００３０】
そして、ＳＤＩＯカード１００に搭載された不図示のコントローラによって制御されるＲＦ回路１０１により、アンテナ素子１０２が無給電素子１４との電磁的な相互作用で励振され、電波の送信を行う。また、無給電素子１４との電磁的な相互作用によってアンテナ素子１０２で効果的に受信された電波がＲＦ回路１０１において電気信号に変換され、接続端子１０３を介して基板１１へ伝送される。
【００３１】
本実施形態では、アンテナ素子１０２とスロットカバー１３に一体化された無給電素子１４とが近接して電磁結合するので、送受信の際に無給電素子１４に電流が集中する。このため、アンテナ素子１０２と基板１１との電磁結合が抑制され、アンテナ素子１０２から送信するときの送信電力、あるいは、アンテナ素子１０２で受信するときの受信感度が無給電素子１４を有しない場合よりも向上する。したがって、スロットカバー１３に無給電素子１４を設けることによって、無線通信を行っている状態で高いアンテナ性能を得ることができる。
【００３２】
またこのとき、スロットカバー１３に設けた無給電素子１４とカードスロット１２の開口部の長辺とを略平行に配置することにより、アンテナ素子１０２と無給電素子１４との電磁結合が容易になり、高いアンテナ性能を発揮することが可能となる。
【００３３】
図３は、本実施形態の第１変形例を示す下部筐体内部の概略構成を示す平面図である。第１変形例の下部筐体３０は、逆Ｌ字状に形成された無給電素子３４がスロットカバー３３と一体化され、その一端が基板３１のグランド部に電気的に接続されて接地されている。これにより、無給電素子３４が地線動作をし、送受信する際の電波による電流が無給電素子３４を介してグランド部に流れるので、アンテナ素子１０２の特性が向上する。
【００３４】
また、図４は、本実施形態の第２変形例を示す下部筐体内部の概略構成を示す平面図である。第２変形例の下部筐体４０は、逆Ｌ字状に形成された無給電素子３４がスロットカバー３３と一体化され、その一端が電気回路４２を介して基板４１のグランド部に電気的に接続されて接地されている。この構成により、電気回路４２を調整することで無給電素子３４の素子長をＲＦ回路１０１の駆動周波数の略半波長など、使用周波数帯域に応じて設計することが容易となり、電波の送受信特性が向上する。
【００３５】
更に、図５は、本実施形態の第３変形例を示す下部筐体内部の概略構成を示す平面図である。第３変形例の下部筐体５０は、スロットカバー３３と一体化された逆Ｌ字状の無給電素子３４の一端が、インダクタとキャパシタが並列に接続されたＬＣ回路５２を介して基板５１のグランド部に電気的に接続されている。この構成により、ＬＣ回路５２におけるインダクタ又はキャパシタの値を調整することで、無給電素子３４の素子長をＲＦ回路１０１の駆動周波数の略半波長など、使用周波数帯域に応じて設計することが容易となり、電波の放射効率を向上させることができる。
【００３６】
また、図６は、本実施形態の第４変形例を示す下部筐体内部の概略構成を示す平面図である。第４変形例の下部筐体６０は、スロットカバー３３と一体化された逆Ｌ字状の無給電素子３４の一端が、ＬＣ切換回路６２を介して、基板６１のグランド部に電気的に接続されている。ＬＣ切換回路６２は、並列に接続されたインダクタとキャパシタをスイッチング素子によって切り換えられるようにした構造となっている。この構成により、インダクタ又はキャパシタの値を調整することで、無給電素子３４の素子長をＲＦ回路１０１の駆動周波数の略半波長など、使用周波数帯域に応じて設計することが容易になり、また、ＬＣ切換回路６２のスイッチング素子を切り換えることでＲＦ回路１０１の駆動周波数が変化した場合に、無給電素子３４の素子長を切り換えることが可能となる。
【００３７】
以上説明したように、第１の実施形態に係る携帯無線機は、下部筐体１０にＳＤＩＯカード１００を挿入するためのカードスロット１２が設けられ、このカードスロット１２の開口部を閉塞するためのスロットカバー１３に、カードスロット１２の開口部長辺と略平行に無給電素子１４を一体化して設けた構成を有する。
【００３８】
これにより、カードスロット１２にＳＤＩＯカード１００を挿入した際にＳＤＩＯカード１００が突出せずにスロットカバー１３を閉じることができ、この状態でＳＤＩＯカード１００のアンテナ素子１０２と無給電素子１４とが略平行の状態で近接して電磁結合し、無線通信を行う際に高いアンテナ性能を得ることができる。また、無給電素子１４をスロットカバー１３に一体化して設けたことによって、ＳＤＩＯカード１００のアンテナ部分が筐体から突出することがないので、操作性及び携帯性を向上でき、小型化を図りつつ所定のアンテナ性能を得ることが可能である。よって、小型化及び携帯性を損うことなく、高いアンテナ性能を発揮する無線通信機能を有したカード機能媒体を搭載することが可能である。
【００３９】
また、無給電素子の一端を基板のグランドに接続して地線とすることにより、アンテナ特性を向上させることができる。更に、無給電素子の一端と基板のグランド間に、ＬＣ回路、あるいはスイッチにより素子を切り換えて接続できるＬＣ切換回路等の電気回路を設けることにより、無給電素子の電気長をＲＦ回路１０１の駆動周波数の略半波長に容易に設定することが可能となり、電波の放射効率を向上させることができる。
【００４０】
（第２の実施形態）
図７は、本発明の第２の実施形態に係る携帯無線機の概略構成を示す外観斜視図である。図１に示した第１の実施形態と共通する構成要素については、同一符号を付してある。
【００４１】
第２の実施形態の携帯無線機２は、無線回路を有する下部筐体７０、液晶表示部２１を備えた上部筐体２０、両筐体７０、２０をそれぞれの一方の端部で折り畳み可能に結合するヒンジ部２２を有する構成である。
【００４２】
下部筐体７０の側面には、後述するＳＤＩＯカード２００を挿入して筐体内に装着可能なカードスロットと、その開口部を閉塞すべく、不図示の回動部を介して取り付けられたスロットカバー７３とが設けられている。
【００４３】
図８は、第２の実施形態における下部筐体７０内部の概略構成を示す平面図である。図８では、下部筐体７０の内部を透過して見た状態を示している。下部筐体７０は、基板７１と、基板７１に実装されＳＤＩＯカード２００を挿入するためのカードスロット７２と、カードスロット７２の開口部を閉塞してゴミ等異物の侵入を防止するためのスロットカバー７３とを備えている。
【００４４】
ＳＤＩＯカード２００は、無線通信機能が搭載されたカード型機能媒体であり、無線通信を行うための高周波回路であるＲＦ回路２０１と、ＲＦ回路２０１と配線パターンによって接続され、カードスロット７２の開口部側とは反対側の端部に設けられたインタフェース部である接続端子２０３とを備えて構成されている。
【００４５】
ＳＤＩＯカード２００における無線通信方式としては、例えば第１の実施形態と同様、Bluetooth（登録商標）、IEEE 801.11a/b/g等の無線ＬＡＮなどが用いられる。
【００４６】
スロットカバー７３には、ＳＤＩＯカード２００の接続端子２０３と電気的に接続されるアンテナ素子７５が一体的に設けられている。接続端子２０３は、基板７１との間で電源及び信号の入出力を行うとともに、スロットカバー７３と一体化して設けられるアンテナ素子７５を電気的に接続するための接続部として設けられる。アンテナ素子７５は、スロットカバー７３の内部または内側表面等に、一体成形等によって配設される。アンテナ素子７５は、導電部として機能するように導電性の薄膜や線材などから構成され、その電気長は、ＳＤＩＯカード２００に搭載されたＲＦ回路２０１の駆動周波数の略半波長または略１／４波長とすることが望ましい。このアンテナ素子７５は、ＳＤＩＯカード２００がカードスロット７２に挿入された際にＳＤＩＯカード２００の接続端子２０３を介してＲＦ回路２０１と接続され、少なくとも一部がＳＤＩＯカード２００のアンテナ素子の一部または全部として動作する。
【００４７】
次に、以上のように構成された本実施形態に係る携帯無線機２において、ＳＤＩＯカード２００を用いて無線通信を行う場合の動作について説明する。
【００４８】
ＳＤＩＯカード２００を、図８に示すように、接続端子２０３を有する一端を先頭にした姿勢でカードスロット７２に挿入して装着し、スロットカバー７３でカードスロット７２の開口部を閉じる。これによって、ＳＤＩＯカード２００の接続端子２０３は、下部筐体７０の基板７１、及びスロットカバー７３に設けられたアンテナ素子７５と電気的に接続され、電源の入力及び信号の入出力を行える状態になる。
【００４９】
そして、ＳＤＩＯカード２００に搭載された不図示のコントローラによって制御されるＲＦ回路２０１により、アンテナ素子７５が励振され、電波の送信を行う。また、アンテナ素子７５によって電波が効果的に受信されてＲＦ回路２０１において電気信号に変換され、接続端子２０３を介して基板７１へ伝送される。
【００５０】
本実施形態では、アンテナ素子７５はスロットカバー７３に一体化されて設けられるので、下部筐体７０から突出することがなく、小型化及び携帯性を損なわずに無線通信を行っている状態で高いアンテナ性能を得ることができる。
【００５１】
以上説明したように、第２の実施形態に係る携帯無線機は、下部筐体７０にＳＤＩＯカード２００を挿入するためのカードスロット７２が設けられ、このカードスロット７２の開口部を閉塞するためのスロットカバー７３に、アンテナ素子７５を一体化して設けた構成を有する。
【００５２】
これにより、カードスロット７２にＳＤＩＯカード２００を挿入した際にＳＤＩＯカード２００が突出せずにスロットカバー７３を閉じることができ、この状態でＳＤＩＯカード２００とアンテナ素子７５とが接続されるため、無線通信を行う際に操作性及び携帯性に優れ、小型化を図りつつ高いアンテナ性能を得ることができる。よって、小型化及び携帯性を損うことなく、高いアンテナ性能を発揮する無線通信機能を有したカード機能媒体を搭載することが可能である。
【００５３】
なお、本発明は上記の実施形態において示されたものに限定されるものではなく、明細書の記載、並びに周知の技術に基づいて、当業者が変更、応用することも本発明の予定するところであり、保護を求める範囲に含まれる。
【産業上の利用可能性】
【００５４】
本発明は、カード型機能媒体を挿入した状態でも外部に突出する部分がなく、小型を図りつつ高いアンテナ性能を得ることが可能となる効果を有し、ＳＤＩＯカード等のカード型機能媒体をカードスロットに挿入して利用可能な携帯電話や携帯情報端末（ＰＤＡ）等の携帯無線機等として有用である。
【符号の説明】
【００５５】
１、２  携帯無線機
１０、３０、４０、５０、６０、７０  下部筐体
１１、３１、４１、５１、６１、７１  基板
１２、７２  カードスロット
１３、３３、７３  スロットカバー
１４、３４  無給電素子
２０  上部筐体
４２  電気回路
５２  ＬＣ回路
６２  ＬＣ切換回路
７５、１０２  アンテナ素子
１００、２００  ＳＤＩＯカード
１０１、２０１  ＲＦ回路
１０３、２０３  接続端子
【手続補正２】
【補正対象書類名】特許請求の範囲
【補正対象項目名】全文
【補正方法】変更
【補正の内容】
【特許請求の範囲】
【請求項１】
通信機能を備えたカード型機能媒体を筐体内に装着可能なカードスロットと、
前記カードスロットの開口部を、前記カード型機能媒体の装着時及び非装着時に覆うスロットカバーと、
前記スロットカバーに一体的に設けられ、前記カード型機能媒体を前記カードスロットに装着した状態で、前記カード型機能媒体に設けられるアンテナ部と電磁結合し、前記アンテナ部の無給電素子として動作する導電部と、
を備える携帯無線機。
【請求項２】
請求項１に記載の携帯無線機であって、
前記導電部は、前記スロットカバーを閉じた際に、前記カードスロットの開口部長辺と略平行になる配置である携帯無線機。
【請求項３】
請求項１に記載の携帯無線機であって、
前記導電部は、その一部が当該携帯無線機のグランド部と電気的に接続されて接地される携帯無線機。
【請求項４】
請求項１に記載の携帯無線機であって、
前記導電部と当該携帯無線機のグランド部との間を接続する電気回路を備え、前記導電部の一部が前記電気回路を介して接地される携帯無線機。
【請求項５】
請求項４に記載の携帯無線機であって、
前記電気回路は、インダクタとキャパシタとを有するＬＣ回路により構成される携帯無線機。
【請求項６】
請求項４に記載の携帯無線機であって、
前記電気回路は、インダクタとキャパシタとスイッチング素子とを有し、前記スイッチング素子によりインダクタとキャパシタとを切り換えて接続可能なＬＣ切換回路により構成される携帯無線機。
【請求項７】
通信機能を備えたカード型機能媒体を筐体内に装着可能なカードスロットと、
前記カードスロットの開口部を、前記カード型機能媒体の装着時及び非装着時に覆うスロットカバーと、
前記スロットカバーに一体的に設けられ、前記カード型機能媒体を前記カードスロットに装着した状態で、前記カード型機能媒体と接続されて少なくとも一部が前記カード型機能媒体のアンテナ素子の一部または全部として動作する導電部と、
前記カード型機能媒体を前記カードスロットに装着した状態で前記導電部と前記カード型機能媒体とを電気的に接続する接続部と、
を備える携帯無線機。
【手続補正３】
【補正対象書類名】図面
【補正対象項目名】全図
【補正方法】変更
【補正の内容】
【図１】
2009022387.tif 000012
【図２】
2009022387.tif 000013
【図３】
2009022387.tif 000014
【図４】
2009022387.tif 000015
【図５】
2009022387.tif 000016
【図６】
2009022387.tif 000017
【図７】
2009022387.tif 000018
【図８】
2009022387.tif 000019
【図９】
2009022387.tif 000020
【国際調査報告】
2009022387.tif 000021
2009022387.tif 000022
2009022387.tif 000023
2009022387.tif 000024